(57)【要約】【課題】屋根への設置作業が容易で、貼付効率に優れた太陽電池モジュールを提供する。【解決手段】太陽電池モジュール９，１０，１１，１２を多角形平板状に形成する。この多角形の辺のうちの少なくとも３本の連なる辺が、他の太陽電池モジュールに対して嵌め合わせることが可能な形状に形成する。これにより、太陽電池モジュール１０，１１を屋根１に設置する際の位置決めが容易となる。また、傾斜した屋根１に太陽電池モジュール１０，１１を設置する際、先に屋根１に固定された太陽電池モジュール９，１２に嵌め合わせて、太陽電池モジュール１０，１１を一時的に保持しておくことで、設置作業の作業性が向上する。【選択図】        図２
2005220674.tif 000002
【特許請求の範囲】
【請求項１】
多角形平板状に形成された太陽電池モジュールであって、当該多角形の辺のうちの少なくとも３本の連なる辺が、他の太陽電池モジュールに対して嵌め合わせることが可能な形状に形成されていることを特徴とする太陽電池モジュール。
【請求項２】
前記他の太陽電池モジュールに対して嵌め合わせることが可能な少なくとも３本の連なる辺（以下、これらの辺を「嵌合辺」という。）の内部の頂点のうち、少なくとも一つの頂点の内角が２７０度であり、残りの頂点の内角が９０度であることを特徴とする請求項１記載の太陽電池モジュール。
【請求項３】
前記嵌合辺は、その内部の頂点の内角が、９０度又は２７０度であるような階段状に形成されていることを特徴とする請求項２記載の太陽電池モジュール。
【請求項４】
前記嵌合辺は、連なった３本の辺から構成されており、その内部の２つの頂点の内角が、それぞれ９０度、２７０度であることを特徴とする請求項３記載の太陽電池モジュール。
【請求項５】
一対の平行な上辺及び下辺を有する多角形平板状に形成されていることを特徴とする請求項１乃至４の何れか一記載の太陽電池モジュール。
【請求項６】
前記下辺と前記上辺とに連接し、前記下辺に連接する側の頂点の内角が鋭角であるような斜辺を有する多角形平板状に形成されていることを特徴とする請求項５記載の太陽電池モジュール。
【請求項７】
（１）ａ．１対の平行な上辺及び下辺、ｂ．両端が前記上辺及び前記下辺に連接し、両端の頂点の内角が９０度であるような垂直辺、及び、ｃ．他の太陽電池モジュールに対して嵌め合わせることが可能な少なくとも３本の連なる辺であって、両端が前記上辺及び前記下辺に連接し、かつ、その内部の頂点のうち、少なくとも一つの頂点の内角が２７０度であり残りの頂点の内角が９０度であるような嵌合辺、を有する多角形平板状に形成された第１の太陽電池モジュールと、
（２）ａ．前記第１の太陽電池モジュールの上辺及び下辺の間隔と等間隔の、１対の平行な上辺及び下辺、ｂ．両端が前記上辺及び前記下辺に連接し、前記下辺に連接する側の頂点の内角が鋭角であるような斜辺、及び、ｃ．前記第２の太陽電池モジュールに対して嵌め合わせることが可能な少なくとも３本の連なる辺であって、両端が前記上辺及び前記下辺に連接し、かつ、その内部の頂点のうち、少なくとも一つの頂点の内角が２７０度であり残りの頂点の内角が９０度であるような嵌合辺、を有する多角形平板状に形成された第２の太陽電池モジュールと、
を備え、少なくとも、前記第１及び第２の太陽電池モジュールを嵌め合わせて構成された部分を有していることを特徴とする太陽電池付屋根。
【請求項８】
前記第１及び第２の太陽電池モジュールに加えて、
（３）少なくとも１対の平行辺が前記第１及び第２の太陽電池モジュールの上辺及び下辺の間隔と等間隔である長方形平板状に形成され、かつ前記第１の太陽電池モジュールと等しい表面積を有する第３の太陽電池モジュール
を備え、少なくとも、前記第１、第２及び第３の太陽電池モジュールを嵌め合わせて構成された部分を有していることを特徴とする請求項７記載の太陽電池付屋根。
【発明の詳細な説明】
【技術分野】
【０００１】
本発明は、屋根への設置作業が容易で、貼付効率に優れた太陽電池モジュールに関する。
【背景技術】
【０００２】
従来の太陽電池モジュールとしては、例えば、特許文献１〜１７に記載されたものが公知である。
【０００３】
通常、太陽電池モジュールの形状は長方形又は正方形である。しかし、寄せ棟、入母屋、片方行などの隅棟を有する屋根は、屋根の平面部の形状が台形である。そのため、長方形又は正方形の太陽電池モジュールをこのような屋根に設置した場合、隅棟の部分に生じる無駄な余白部分が大きくなる。また、隅棟に沿った部分がギザギザとなるため、外観上も好ましくない。
【０００４】
そこで、特許文献１〜１７に記載されているように、多くの場合、屋根の中央部分は長方形又は正方形の太陽電池モジュールが使用され、隅棟に隣接する部分には、三角形又は台形の形状からなる太陽電池モジュールが使用される。すなわち、三角形又は台形の太陽電池モジュールの斜辺が隅棟とほぼ平行となるように設置する。これにより、余白部分を少なくすることができるため、貼付効率が改善される。また、隅棟に沿った部分が直線的になるため、外観上も美しくなる。
【０００５】
図８は従来の太陽電池モジュールを隅棟を有する屋根に設置した一例を示す平面図である。屋根１００の隅棟１００ａには、棟カバー１０１が取り付けられている。そして、屋根面には、方形の太陽電池モジュール１０２と直角三角形の太陽電池モジュール１０３が、複数枚組み合わせて設置されている。方形の太陽電池モジュール１０２は、上下の辺を、軒１００ｂと平行に屋根面に固定された横桟１０５に固定具１０６により固定されている。一方、直角三角形の太陽電池モジュール１０２は、その下辺は横桟１０５に固定具１０６により固定されており、斜辺は、固定具１０４により屋根面に据え付けられた支持瓦１０７に固定されている。また、横桟１０５は、屋根面に据え付けられた支持瓦１０７によって、所々を屋根に固定されている。
【０００６】
図８のように、直角三角形の太陽電池モジュール１０３を使用すれば、屋根面に太陽電池モジュール１０２，１０３を敷き詰めて設置したときに、余白部分を極力少なくすることができる。また、直角三角形の太陽電池モジュール１０３の斜辺は、隅棟１００ａにほぼ平行であるため、外観上スマートとなる。
【特許文献１】特開２００３−２４３６８８号公報
【特許文献２】特開２００１−２０７６０９号公報
【特許文献３】特開２００１−２０７６０５号公報
【特許文献４】特開２００１−１６４７１０号公報
【特許文献５】特開２００１−１５２６３４号公報
【特許文献６】特開２００１−１１１０８４号公報
【特許文献７】特開２００１−７３５２２号公報
【特許文献８】特開２０００−２３４４２４号公報
【特許文献９】特開２０００−２０８８０４号公報
【特許文献１０】特開２０００−２０４７３３号公報
【特許文献１１】特開２０００−１６０７９０号公報
【特許文献１２】特開２０００−８０７７３号公報
【特許文献１３】特開平１１−３５０６８５号公報
【特許文献１４】特開平１１−３５０６８３号公報
【特許文献１５】特開平１０−１３１４４１号公報
【特許文献１６】特開平１０−１３１４４０号公報
【特許文献１７】特開平１０−１２９１１号公報
【発明の開示】
【発明が解決しようとする課題】
【０００７】
ところで、建築物によっては、太陽電池モジュールの設置時に、屋根の強度が十分でないため、軒先部分の歩行ができない場合がある。このような場合、隅棟や下り棟の付近は足場が悪く、太陽電池モジュールの設置作業が困難で、その分、作業の危険性も大きい。
【０００８】
上記三角形の太陽電池モジュールを庇付近の隅棟近傍の屋根に固定する場合、図８に示すように固定具で固定する必要がある。この場合、固定具を取り付ける作業の間は、パネルの上部の鋭角部分を手でもって保持しておく必要がある。しかしながら、パネル上部が鋭角であると持ちにくく、作業中に手を離れて落下する危険性も大きい。
【０００９】
また、上記三角形の太陽電池モジュールを固定する場合、パネルの上部頂点を固定しただけでは十分な強度で固定できないため、図８のように、パネルの下辺と斜辺を固定具１０４，１０６で固定する。しかしながら、一般に、屋根１００の隅棟１００ａは、防水のための棟カバー１０１が取り付けられている。従って、棟カバー１０１をよけて固定具１０４を設置する必要がある。そのため、隅棟１００ａと太陽電池モジュール１０３との間には、固定具１０４を取り付ける。それには、まず固定具を取り付ける部分の瓦をはぎ取り、補強板を設置し、その上に支持瓦１０７を置く。そしてその支持瓦１０７に太陽電池モジュール１０３を固定具で固定する。このような固定をする場合、隅棟１００ａのすぐ横の瓦は、棟カバー１０１があるためはずせない。従って、隅棟１００ａから瓦３枚分程度内側の瓦を剥ぎ取って、支持瓦１０７を据え付ける。すなわち、棟カバー１０１と太陽電池モジュール１０３との間には、瓦３枚分程度の隙間が必要とされる。この隙間の分だけ余白部分が増えるため、太陽電池モジュール１０２，１０３の貼付効率が低下する。
【００１０】
そこで、本発明の目的は、屋根への設置作業が容易で、貼付効率に優れた太陽電池モジュールを提供することにある。また、設置工事が容易で有効発電面積を最大限大きくすることが可能な太陽電池付屋根を提供することにある。
【課題を解決するための手段】
【００１１】
本発明に係る太陽電池モジュールの第１の構成は、多角形平板状に形成された太陽電池モジュールであって、当該多角形の辺のうちの少なくとも３本の連なる辺が、他の太陽電池モジュールに対して嵌め合わせることが可能な形状に形成されていることを特徴とする。
【００１２】
この構成によれば、太陽電池モジュールを屋根に設置する場合、まず、先に屋根に固定した他の太陽電池と嵌め合わせて、新たに設置する太陽電池モジュールを保持する。そして、このように保持した状態で新たに設置する太陽電池モジュールを固定する。このように、太陽電池モジュール同士が嵌め合わせが可能な形状であるため、太陽電池モジュールを屋根に設置する際に、位置決めが容易である。また、傾斜した屋根に太陽電池モジュールを設置する場合、先に屋根に固定された太陽電池モジュールに嵌め合わせることにより、新たに固定する太陽電池モジュールを一時的に保持しておくことが可能であるため、設置作業の作業性が向上する。
【００１３】
本発明に係る太陽電池モジュールの第２の構成は、前記第１の構成において、前記他の太陽電池モジュールに対して嵌め合わせることが可能な少なくとも３本の連なる辺（以下、これらの辺を「嵌合辺」という。）の内部の頂点のうち、少なくとも一つの頂点の内角が２７０度であり、残りの頂点の内角が９０度であることを特徴とする。
【００１４】
太陽電池モジュールは、通常は、１枚のパネル上に、長方形状又は正方形状に形成された太陽電池セルを多数敷き詰めることにより構成されている。「太陽電池セル」とは、光電変換素子の最小単位をいう。従って、上記構成のように、嵌合辺の内部の頂点の内角を２７０度又は９０度、すなわち、各頂点の内角又は外角が直角となるように構成すれば、長方形状又は正方形状の太陽電池セルをパネル上に充填する場合に、無駄なスペースが生じないようにすることが可能となる。従って、パネル上の面積を有効に発電に使用することが可能となる。
【００１５】
本発明に係る太陽電池モジュールの第３の構成は、前記第２の構成において、前記嵌合辺は、その内部の頂点の内角が、９０度又は２７０度であるような階段状に形成されていることを特徴とする。
【００１６】
このように、嵌合辺を、内部の各頂点の内角又は外角が直角であるような階段状に構成することにより、先に屋根に固定された太陽電池モジュールに対して新たに設置する太陽電池モジュールを嵌め合わせる場合に、屋根の傾斜の上方から新たに設置する太陽電池モジュールを滑らせて、先に屋根に固定された太陽電池モジュールに嵌め合わせることができる。従って、嵌め合わせの作業性が向上する。
【００１７】
本発明に係る太陽電池モジュールの第４の構成は、前記第３の構成において、前記嵌合辺は、連なった３本の辺から構成されており、その内部の２つの頂点の内角が、それぞれ９０度、２７０度であることを特徴とする。
【００１８】
このように、嵌合辺を、内角又は外角が直角である３本の辺とすれば、太陽電池モジュールの平面構造が単純であり製造が容易である。また、細い部分や角が少なくできるため、耐衝撃性に優れ、屋根への設置作業時に太陽電池モジュールを破損する事故を少なくすることができる。
【００１９】
本発明に係る太陽電池モジュールの第５の構成は、前記第１乃至４の何れか一の構成において、一対の平行な上辺及び下辺を有する多角形平板状に形成されていることを特徴とする。
【００２０】
このように、上辺と下辺を平行とすることにより、従来からある方形の太陽電池モジュールとも組み合わせて使用することが可能となる。また、上辺と下辺を固定具で固定すれば、十分な強度で屋根に固定されるので、側部の辺を固定しなくてもよい。従って、隅棟にぎりぎりまで近接して太陽電池モジュールを設置することができるため、従来のものに比べて貼付効率も改善される。
【００２１】
本発明に係る太陽電池モジュールの第６の構成は、前記第１の構成において、前記下辺と前記上辺とに連接し、前記下辺に連接する側の頂点の内角が鋭角であるような斜辺を有する多角形平板状に形成されていることを特徴とする。
【００２２】
このように、斜辺を有するような多角形平板状とすることによって、寄せ棟、入母屋、又は片方行（片側が寄せ棟、片側が切り妻の形をしている屋根）のような傾斜した隅棟を有する屋根に太陽電池モジュールを設置する場合に、太陽電池モジュールの斜辺が隅棟に平行となり、屋根の面積を効率的に利用することが可能となる。また、外部からみた場合に、美観もよくなる。
【００２３】
本発明に係る太陽電池付屋根の第１の構成は、（１）ａ．１対の平行な上辺及び下辺、ｂ．両端が前記上辺及び前記下辺に連接し、両端の頂点の内角が９０度であるような垂直辺、及び、ｃ．他の太陽電池モジュールに対して嵌め合わせることが可能な少なくとも３本の連なる辺であって、両端が前記上辺及び前記下辺に連接し、かつ、その内部の頂点のうち、少なくとも一つの頂点の内角が２７０度であり残りの頂点の内角が９０度であるような嵌合辺、を有する多角形平板状に形成された第１の太陽電池モジュールと、
（２）ａ．前記第１の太陽電池モジュールの上辺及び下辺の間隔と等間隔の、１対の平行な上辺及び下辺、ｂ．両端が前記上辺及び前記下辺に連接し、前記下辺に連接する側の頂点の内角が鋭角であるような斜辺、及び、ｃ．前記第２の太陽電池モジュールに対して嵌め合わせることが可能な少なくとも３本の連なる辺であって、両端が前記上辺及び前記下辺に連接し、かつ、その内部の頂点のうち、少なくとも一つの頂点の内角が２７０度であり残りの頂点の内角が９０度であるような嵌合辺、を有する多角形平板状に形成された第２の太陽電池モジュールと、
を備え、少なくとも、前記第１及び第２の太陽電池モジュールを嵌め合わせて構成された部分を有していることを特徴とする。
【００２４】
このような、太陽電池付屋根は、寄せ棟、入母屋、又は片方行のような傾斜した隅棟を有する屋根に使用される。この太陽電池付屋根を構成する場合、隅棟に隣接する箇所には、第２の太陽電池モジュールが使用される。この場合、まず、屋根の中央付近から隅棟に向かって、順次太陽電池モジュールを屋根に固定していく。第２の太陽電池モジュールの手前に、第１の太陽電池モジュールを固定する。そして、第１の太陽電池モジュールに第２の太陽電池モジュールを嵌め合わせることによって第２の太陽電池モジュールを一時的に保持し、最後に、第２の太陽電池モジュールを固定具で固定する。このように、もっとも太陽電池モジュールの設置作業が難しい隅棟付近の部分に第２の太陽電池モジュールを固定する際に、第２の太陽電池モジュールを一時的に保持できるので、設置作業が容易である。
【００２５】
本発明に係る太陽電池付屋根の第２の構成は、前記第１の構成において、前記第１及び第２の太陽電池モジュールに加えて、
（３）少なくとも１対の平行辺が前記第１及び第２の太陽電池モジュールの上辺及び下辺の間隔と等間隔である長方形平板状に形成され、かつ前記第１の太陽電池モジュールと等しい表面積を有する第３の太陽電池モジュール
を備え、少なくとも、前記第１、第２及び第３の太陽電池モジュールを嵌め合わせて構成された部分を有していることを特徴とする。
【００２６】
このような、太陽電池付屋根を構成する場合、隅棟に隣接する箇所には、第２の太陽電池モジュールが使用され、屋根の中央部付近には第３の太陽電池モジュールが使用され、第３の太陽電池モジュールと第２の太陽電池モジュールとの間に、第１の太陽電池モジュールが使用される。このとき、第１の太陽電池モジュールと第３の太陽電池モジュールの面積が等しいので、両者の発電量はほぼ等しくなる。従って、これらの太陽電池モジュールを直列接続した場合に発電効率を高くすることができる。
【発明の効果】
【００２７】
以上のように、本発明に係る太陽電池モジュールによれば、少なくとも３本の連なる辺の形状を他の太陽電池モジュールに対して嵌め合わせることが可能な形状に形成したことにより、太陽電池モジュールを屋根に設置する際の位置決めが容易となる。また、傾斜した屋根に太陽電池モジュールを設置する場合には、先に屋根に固定された太陽電池モジュールに嵌め合わせて、新たに固定する太陽電池モジュールを一時的に保持しておくことで、設置作業の作業性が向上する。また、さらに太陽電池モジュールを一対の平行な上辺及び下辺を有する多角形平板状に形成すれば、側部の辺を固定しなくてもよく、隅棟にぎりぎりまで近接して太陽電池モジュールを設置することができる。従って、従来のものに比べて貼付効率も改善される。
【００２８】
また、本発明に係る太陽電池付屋根によれば、隅棟付近の部分に第２の太陽電池モジュールを固定する際に第２の太陽電池モジュールを一時的に保持できるので、太陽電池モジュールの設置作業が容易な太陽電池付屋根を提供できる。
【発明を実施するための最良の形態】
【００２９】
以下、本発明を実施するための最良の形態について、図面を参照しながら説明する。
【実施例１】
【００３０】
図１は本発明の実施例１に係る太陽電池モジュールの平面図である。本実施例では、図１（ａ）〜（ｅ）に示した５種類の太陽電池モジュールを組み合わせることにより、太陽電池アレイを構成する。「太陽電池アレイ」とは、直並列に配列され互いに接続された複数の太陽電池モジュールの集合体をいう。
【００３１】
図１（ａ）の太陽電池モジュールは、従来のものと同様の方形状の太陽電池モジュールである。以下この方形を方形ＭＮＰＯと記す。ここで、図１（ａ）の太陽電池モジュールの幅ＭＮ（又はＯＰ）をｗとする。また、高さＯＭ（又はＰＮ）をｈとする。この太陽電池モジュールは、幅ｓの補強枠内に方形のパネルが保持されている。この方形パネル上には、小さい方形状の太陽電池セルが多数敷き詰められている。
【００３２】
図１（ｂ）の太陽電池モジュールは、凹六角形状の太陽電池モジュールである。以下、この凹六角形を六角形ＧＨＩＪＫＬと記す。この六角形ＧＨＩＪＫＬは、互いに平行な上辺ＧＨと下辺ＬＫとを有し、また、両端が上辺ＧＨ及び下辺ＬＫに連接し、両端の頂点Ｇ，Ｌの内角∠ＨＧＬ，∠ＧＬＫが９０度であるような垂直辺ＧＨを有する。垂直辺ＧＬの長さは、上記方形ＭＮＰＯの高さｈに等しくなるように形成されている。
【００３３】
垂直辺ＧＨと対向する側の３本の連なる辺ＨＩ，ＩＪ，ＪＫは、後述の図１（ｃ）の太陽電池モジュールに対して嵌め合わせることが可能な形状に形成されている。以下、この３本の連なる辺ＨＩ，ＩＪ，ＪＫを嵌合辺という。嵌合辺ＨＩ，ＩＪ，ＪＫの内部の２つの頂点Ｉ，Ｊの内角∠ＨＩＪ，∠ＩＪＫは、それぞれ２７０度，９０度である。嵌合辺の両端の頂点Ｈ，Ｋの内角∠ＧＨＩ，∠ＪＫＬは９０度である。従って、この嵌合辺に沿って、小さい方形状の太陽電池セルを無駄なく敷き詰めることが可能である。
【００３４】
また、嵌合辺ＨＩ，ＩＪ，ＪＫのうちの上辺ＧＨ及び下辺ＬＫに平行な中央の辺ＩＪの長さを２ｄとする。このとき、六角形ＧＨＩＪＫＬの下辺ＬＨの長さはｗ＋ｄ、上辺ＧＨの長さはｗ−ｄである。また、嵌合辺ＨＩの長さはｈ／２−ｓであり、嵌合辺ＪＫの長さはｈ／２＋ｓである。従って、図１（ｂ）の太陽電池モジュールの補強枠内のパネルの面積は、図１（ａ）の太陽電池モジュールの補強枠内のパネルの面積に等しく、これらのパネル内に敷き詰められる太陽電池セルの個数も等しい。すなわち、図１（ｂ）の太陽電池モジュールは、図１（ａ）の太陽電池モジュールと等しい発電量とされている。
【００３５】
図１（ｃ）の太陽電池モジュールは、凹六角形状の太陽電池モジュールである。以下、この凹六角形を六角形ＡＢＣＤＥＦと記す。この六角形ＡＢＣＤＥＦは、互いに平行な上辺ＡＢと下辺ＤＣとを有している。この下辺ＤＣの長さをｘとする。長さｘは、図１（ｃ）の太陽電池モジュールに敷き詰めることが可能な太陽電池セルの数が、図１（ａ）の太陽電池モジュールに敷き詰めることが可能な太陽電池セルの数の半分程度になるように決められている。すなわち、図１（ｃ）の太陽電池モジュールの発電量は、図１（ａ）の太陽電池モジュールの発電量のほぼ半分とされている。
【００３６】
また、六角形ＡＢＣＤＥＦは、両端が上辺ＡＢ及び下辺ＤＣに連接し、下辺ＤＣに連接する側の頂点Ｃの内角∠ＢＣＤが鋭角であるような斜辺を有している。上辺ＡＢと下辺ＤＣとの間の距離（以下、「高さ」という。）は、上記方形ＭＮＰＯの高さｈに等しくなるように形成されている。
【００３７】
斜辺ＢＣと対向する側の３本の連なる辺ＡＦ，ＦＥ，ＥＤは、前述の図１（ｂ）の太陽電池モジュールに対して嵌め合わせることが可能な形状に形成されている。以下、この３本の連なる辺ＡＦ，ＦＥ，ＥＤを嵌合辺という。嵌合辺ＡＦ，ＦＥ，ＥＤの内部の２つの頂点Ｆ，Ｅの内角∠ＡＦＥ，∠ＦＥＤは、それぞれ９０度，２７０度である。嵌合辺の両端の頂点Ａ，Ｄの内角∠ＢＡＦ，∠ＥＤＣは９０度である。従って、この嵌合辺に沿って、小さい方形状の太陽電池セルを無駄なく敷き詰めることが可能である。
【００３８】
なお、嵌合辺ＡＦ，ＦＥ，ＥＤの長さは、それぞれ、ｈ／２−ｓ，２ｄ，ｈ／２＋ｓである。
【００３９】
図１（ｄ），（ｅ）の太陽電池モジュールは、それぞれ、図１（ｃ），（ｂ）の太陽電池モジュールを、左右反転した形状を有している。
【００４０】
図２は図１に示した太陽電池モジュールを屋根に敷き詰めることにより構成される太陽電池付屋根を示した平面図である。図２においては、屋根１として、寄棟屋根の例を示している。屋根１の中央には、もっとも高い陸棟２が形成されている。陸棟２の両端は２つの隅棟３，３に分岐している。陸棟２及び隅棟３は、棟カバー４により被覆されている。
【００４１】
陸棟２の両側に広がる平５は台形状である。また、二つの隅棟３，３と軒６とに囲まれた小平７は三角形状である。これらの一方の平５（南方向きの平）及び２つの小平７，７に太陽電池モジュールが敷き詰めて設置され、太陽電池付きの屋根１が構成されている。
【００４２】
平５及び各小平７，７は、図１（ａ）に示した方形の太陽電池モジュール８と、図１（ｂ），（ｃ），（ｄ），（ｅ）に示した凹六角形の太陽電池モジュール９，１０，１１，１２とを組み合わせて敷き詰められている。太陽電池モジュール９の嵌合辺と太陽電離モジュール１０の嵌合辺とは嵌め合わされている。また、太陽電池モジュール１２の嵌合辺と太陽電離モジュール１１の嵌合辺とは嵌め合わされている。このように、太陽電池モジュール９，１０及び太陽電池モジュール１２，１１は、嵌合辺同士を互いに嵌め合わせた状態で設置されるため、端部の太陽電池モジュール１０及び１１を設置する際に位置決めが極めて容易となる。
【００４３】
図３は実施例１に係る太陽電池モジュールを屋根に敷き詰める際の行程を説明する図である。図３では平５に太陽電池モジュールを設置する途中状態を表している。
【００４４】
最初に、屋根面上の所々の瓦を剥ぎ取って、補強板を敷く。そして、その上に支持瓦１５を設置して、その周囲には再びもとの瓦を葺く。このとき、支持瓦１５は、一定の間隔の軒に平行な線に沿って、所定の間隔をあけて設置する。
【００４５】
次に、屋根面上に、太陽電池モジュール８，９，１０，１１，１２を固定するための横桟１３を、軒に平行に固定する。このとき、横桟１３は、屋根面に設置された支持瓦１５を介して、屋根面に固定する。
【００４６】
そして、屋根面の中央から、方形の太陽電池モジュール８を固定具１４によって横桟１３に固定し設置していく。そして、隅棟３の付近に、凹六角形の太陽電池モジュール９を固定具１４で横桟１３に固定する。最後に、隅棟３に隣接して、凹六角形の太陽電池モジュール１０を固定具１４で横桟１３に固定する。
【００４７】
ここで、太陽電池モジュール１０は太陽電池モジュール９の嵌合辺に嵌め合わせることができる。そこで、設置作業の際には、すでに固定されている太陽電池モジュール９の傾斜上方から、太陽電池モジュール１０を滑り込ませ、両太陽電池モジュール９，１０の嵌合編同士を嵌め合わせて保持する。これにより、太陽電池モジュール１０は、上辺ＡＢ及び下辺ＤＣに垂直な方向への滑り（ずれ）が規制される。そして、この状態で、太陽電池モジュール１０の上辺ＡＢ及び下辺ＤＣを固定具１４で固定する。
【００４８】
このように、太陽電池モジュール１０を設置する際の設置作業が、従来に比べて非常に容易になる。そして、太陽電池モジュール１０は固定作業中は、嵌合辺によって太陽電池モジュール９に保持されているため、太陽電池モジュール１０を誤って落下させるような事故を未然に防止することもできる。
【００４９】
さらに、太陽電池モジュール１０は、上辺ＡＢと下辺ＤＣにおいて横桟１３に固定具１４で固定されるため、斜辺ＢＣを固定具で固定する必要がない。従って、従来工法（図８参照）のように棟カバー１０１の付近に支持瓦１０７を設置する必要がないため、斜辺ＢＣを棟カバー４の間際ぎりぎりまで近接して太陽電池モジュール１０を設置することが可能である。故に、従来に比べて太陽電池モジュールの貼付効率が改善される。
【実施例２】
【００５０】
図４は本発明の実施例２に係る太陽電池モジュールの構成を表す図である。本実施例においては、図１（ａ）〜（ｃ）に示した５種類の太陽電池モジュールに加えて、図４（ａ）〜（ｇ）に示したような７種類の太陽電池モジュールを組み合わせることによって、太陽電池アレイを構成する。図４（ａ）〜（ｇ）の各太陽電池モジュールは、図１のものと同様、幅ｓの補強枠内に方形のパネルが保持されている。また、この方形パネル上には、小さい方形状の太陽電池セルが多数敷き詰められている。
【００５１】
図４（ａ）の太陽電池モジュールは、右上がりの斜辺を有する凹六角形ＡＢＣＤＥＦに形成されている。下辺ＦＥと上辺ＡＢとは平行である。下辺ＦＥと上辺ＡＢとの距離はｈである。下辺ＦＥの長さはｘ＋４ｄである。下辺ＦＥの端点Ｆに連接して、斜辺ＦＡが形成されている。頂点Ｆの内角∠Ｆは鋭角となるように形成されている。また、辺ＢＣ，ＣＤ，ＤＥは嵌合辺である。嵌合辺ＢＣ，ＣＤ，ＤＥは、後述の図４（ｂ）の太陽電池モジュールの左側の嵌合辺に嵌め合わせることが可能な形状に形成されている。頂点Ｂ，Ｄ，Ｅの内角∠Ｂ，∠Ｄ，∠Ｅは直角であり、頂点Ｃの内角∠Ｃは２７０度である。
【００５２】
図４（ｂ）の太陽電池モジュールは、凹八角形ＧＨＩＪＫＬＭＮに形成されている。下辺ＬＫと上辺ＧＨとは平行で、その距離はｈである。また、頂点Ｇ，Ｈ，Ｊ，Ｋ，Ｌ，Ｎの内角∠Ｇ，∠Ｈ，∠Ｊ，∠Ｋ，∠Ｌ，∠Ｎは直角であり、頂点Ｉ，Ｍの内角∠Ｉ，∠Ｍは２７０度である。この太陽電池モジュールは、左右側に嵌合辺ＧＮ，ＮＭ，ＭＬと、嵌合辺ＨＩ，ＩＪ，ＪＫとを有する。嵌合辺ＧＮ，ＮＭ，ＭＬは、図４（ａ）の太陽電池モジュールの嵌合辺ＢＣ，ＣＤ，ＤＥに嵌め合わせることが可能な形状に形成されている。また、嵌合辺ＨＩ，ＩＪ，ＪＫは、前述の図１（ｃ）の太陽電池モジュールの嵌合辺に嵌め合わせることが可能な形状に形成されている。
【００５３】
図４（ｃ）の太陽電池モジュールは、凹八角形ＯＰＱＲＳＴＵＶに形成されている。下辺ＴＳと上辺ＯＰとは平行で、その距離はｈである。また、頂点Ｏ，Ｐ，Ｒ，Ｓ，Ｔ，Ｕの内角∠Ｏ，∠Ｐ，∠Ｒ，∠Ｓ，∠Ｔ，∠Ｕは直角であり、頂点Ｑ，Ｖの内角∠Ｑ，∠Ｖは２７０度である。この太陽電池モジュールは、左右側に嵌合辺ＯＶ，ＶＵ，ＵＴと、嵌合辺ＰＱ，ＱＲ，ＲＳとを有する。嵌合辺ＰＱ，ＱＲ，ＲＳは、前述の図１（ｃ）の太陽電池モジュールの嵌合辺に嵌め合わせることが可能な形状に形成されている。また、嵌合辺ＯＶ，ＶＵ，ＵＴは、後述の図４（ｄ），（ｆ）の太陽電池モジュールの嵌合辺に嵌め合わせることが可能な形状に形成されている。
【００５４】
図４（ｄ）の太陽電池モジュールは、凹六角形ＷＸＹＺΓΔに形成されている。上辺ＷＸと下辺ΔΓとは平行であり、その距離はｈである。下辺ΔΓの長さは、ｘ＋２ｄである。左側の斜辺ΔＷにおける、下辺ΔΓに連接する頂点Δの内角∠Δは鋭角である。また、右側の嵌合辺ＸＹ，ＹＺ，ＺΓは、上記図４（ｃ）の太陽電池モジュールの左側の嵌合辺ＯＶ，ＶＵ，ＵＴと嵌め合わせることが可能な形状に形成されている。頂点Ｘ，Ｙ，Γの内角∠Ｘ，∠Ｙ，∠Γは直角であり、頂点Ｚの内角∠Ｚは２７０度である。
【００５５】
図４（ｅ）の太陽電池モジュールは、右上がりの斜辺を有する凹六角形ΘΛΞΠΣΦに形成されている。この太陽電池モジュールは、上辺ΘΛ及び下辺ΦΣの長さが図４（ａ）の太陽電池モジュールと相違する点を除き、図４（ａ）の太陽電池モジュールと同型である。下辺ΦΣの長さはｘ＋６ｄである。また、上辺ΘΛの長さは、図４（ａ）の太陽電池モジュールの上辺ＡＢの長さよりも２ｄだけ長く形成されている。
【００５６】
図４（ｆ）の太陽電池モジュールは、右上がりの斜辺を有する凹六角形ΨΩБДЖЗに形成されている。この太陽電池モジュールは、上辺ΨΩ及び下辺ЗЖの長さが図４（ｄ）の太陽電池モジュールと相違する点を除き、図４（ｄ）の太陽電池モジュールと同型である。下辺ЗЖの長さはｘ＋４ｄである。また、上辺ΨΩの長さは、図４（ｄ）の太陽電池モジュールの上辺ＷＸの長さよりも２ｄだけ長く形成されている。
【００５７】
図４（ｇ）の太陽電池モジュールは、凹六角形ИЙКЛЦЁに形成されている。上辺ИЙと下辺ЛКとは平行であり、その距離はｈである。上辺ИЙの長さはｗ＋ｄである。下辺ЛКの長さはｗ−ｄである。頂点И，Й，К，Л，Ёの内角∠И，∠Й，∠К，∠Л，∠Ёは９０度であり、頂点Цの内角∠Цは２７０度である。左側の嵌合辺ИЁ，ЁЦ，ЦЛは図４（ａ），（ｅ）の太陽電池モジュールの嵌合辺や図４（ｃ）の太陽電池モジュールの右側の嵌合辺と嵌め合わせることが可能な形状に形成されている。
【００５８】
以上のように構成された本実施例に係る太陽電池モジュールを使用して、太陽電池付屋根を構成した例を図５に示す。図５は図４に示した各太陽電池モジュールを屋根に敷き詰めることにより構成される太陽電池付屋根を示した平面図である。図５の屋根１は、図２と同様に寄棟屋根であり、図２と同様のものについては同符号を付している。
【００５９】
図５では、屋根１の南向きの平５及び東向き及び西向きの小平７，７に太陽電池モジュールが敷設されている。図５において、太陽電池モジュール２１は図４（ｄ）の太陽電池モジュール、太陽電池モジュール２２は図４（ｃ）の太陽電池モジュール、太陽電池モジュール２３は図４（ｂ）の太陽電池モジュール、太陽電池モジュール２５は図４（ａ）の太陽電池モジュール、太陽電池モジュール２６は図４（ｇ）の太陽電池モジュール、太陽電池モジュール２７は図４（ｆ）の太陽電池モジュール、太陽電池モジュール２８は図４（ｅ）の太陽電池モジュールである。
【００６０】
南向きの平５に太陽電池モジュールを設置する場合、まず、軒に隣接する端部に、軒側からみて左側の隅棟３の側の付近の、太陽電池モジュール２２を設置し、次いで、左側の隅棟３に隣接する太陽電池モジュール２１を設置する。そして、太陽電池モジュール２２の右側に、太陽電池モジュール２３を順次設置していき、最後に太陽電池モジュール１０を設置する。このようにすれば、太陽電池モジュール２２以外のものを湿地擦る場合には、すでに固定された太陽電池モジュールの嵌合辺に嵌め合わせて保持した後に固定作業を行うことができる。従って、実施例１と同様に、屋根への設置作業が容易となる。また、従来に比べて貼付効率も改善される。
【００６１】
軒側の端部よりも上の列には、軒側からみて左側から、太陽電池モジュール２１、太陽電池モジュール１２、太陽電池モジュール８、太陽電池モジュール８、…、太陽電池モジュール８、太陽電池モジュール９、太陽電池モジュール１０となるように敷設される。
【００６２】
そして、陸棟２に隣接する列には、軒側からみて左側から、太陽電池モジュール２５、太陽電池モジュール２６、太陽電池モジュール８、太陽電池モジュール８、太陽電池モジュール９、太陽電池モジュール１０となるように敷設される。
【００６３】
一方、右側の小平７の太陽電池アレイは、太陽電池モジュール８，９，１０，１２，２７，２８を組み合わせて構成されている。左側の小平７の太陽電池アレイは、太陽電池モジュール８，９，１０，１２，２１を組み合わせて構成されている。このように、種々の組み合わせによって、太陽電池アレイを屋根面上に構成することが可能である。
【実施例３】
【００６４】
図６は本発明の実施例３に係る太陽電池モジュールの構成を表す図である。本実施例においては、図６（ａ）〜（ｃ）に示したような３種類の太陽電池モジュールを組み合わせることによって、太陽電池アレイを構成する。図６（ａ）〜（ｃ）の各太陽電池モジュールは、幅ｓの補強枠内に方形のパネルが保持されている。この方形パネル上には、小さい方形状の太陽電池セルが多数敷き詰められている。
【００６５】
図６（ａ）の太陽電池モジュールは、右上がりの斜辺を有する凹八角形ＡＢＣＤＥＦＧＨに形成されている。下辺ＨＧと上辺ＡＢとは平行である。下辺ＨＧと上辺ＡＢとの距離はｈである。下辺ＨＧの端点Ｈに連接して、斜辺ＨＡが形成されている。頂点Ｈの内角∠Ｈは鋭角となるように形成されている。また、辺ＢＣ，ＣＤ，ＤＥ，ＥＦ，ＦＧは嵌合辺である。嵌合辺ＢＣ，ＣＤ，ＤＥ，ＥＦ，ＦＧは、後述の図６（ｂ）の太陽電池モジュールの左側の嵌合辺に嵌め合わせることが可能な形状に形成されている。頂点Ｂ，Ｃ，Ｆ，Ｇの内角∠Ｂ，∠Ｃ，∠Ｆ，∠Ｇは直角であり、頂点Ｄ，Ｅの内角∠Ｄ，∠Ｅは２７０度である。
【００６６】
図６（ｂ）の太陽電池モジュールは、凹十二角形ＩＪＫＬＭＮＯＰＱＲＳＴに形成されている。下辺ＰＯと上辺ＩＪとの距離はｈである。また、頂点Ｊ，Ｋ，Ｎ，Ｏ，Ｐ，Ｒ，Ｓ，Ｉの内角は直角であり、頂点Ｌ，Ｍ，Ｑ，Ｔの内角は２７０度である。この太陽電池モジュールは、左側の嵌合辺ＩＴ，ＴＳ，ＳＲ，ＲＱ，ＱＰと、右側の嵌合辺ＪＫ，ＫＬ，ＫＭ，ＭＮ，ＮＯとを有する。嵌合辺ＩＴ，ＴＳ，ＳＲ，ＲＱ，ＱＰは、上記図６（ａ）の太陽電池モジュールの嵌合辺ＢＣ，ＣＤ，ＤＥ，ＥＦ，ＦＧに嵌め合わせることが可能な形状に形成されている。また、嵌合辺ＪＫ，ＫＬ，ＬＭ，ＭＮ，ＮＯは、後述の図６（ｃ）の太陽電池モジュールの嵌合辺に嵌め合わせることが可能な形状に形成されている。
【００６７】
図６（ｃ）の太陽電池モジュールは、凹八角形ＵＶＷＸＹＺΓΔに形成されている。上辺ＵＶと下辺ＸＷとは平行であり、その距離はｈである。斜辺ＷＶの下辺ＷＸに連接する頂点Ｗの内角∠Ｗは鋭角である。また、嵌合辺ＵΔ，ΔΓ，ΓＺ，ＺＹ，ＹＸは、上記図６（ｂ）の太陽電池モジュールの右側の嵌合辺ＪＫ，ＫＬ，ＬＭ，ＭＮ，ＮＯと嵌め合わせることが可能な形状に形成されている。頂点Ｕ，Γ，Ｚ，Ｘの内角∠Ｕ，∠Γ，∠Ｚ，∠Ｘは直角であり、頂点Δ，Ｙの内角∠Δ，∠Ｙは２７０度である。
【００６８】
以上のような構成としても、屋根への設置作業が容易となり、従来に比べて貼付効率も改善される。
【実施例４】
【００６９】
図７は本発明の実施例４に係る太陽電池モジュールの構成を表す図である。本実施例においては、図７（ａ）〜（ｅ）に示したような５種類の太陽電池モジュールを組み合わせることによって、太陽電池アレイを構成する。図７（ａ）の太陽電池モジュールは、図１（ａ）の太陽電池モジュールと同じものである。また、図７（ｂ）〜（ｄ）の太陽電池モジュールは、嵌合辺の一部が傾斜状に形成されている点を除き、それぞれ、図１（ｂ）〜（ｄ）の太陽電池モジュールと同様のものである。
【００７０】
このように、嵌合辺に傾斜辺を有する構成としても、実施例１と同様、屋根への設置作業が容易となり、従来に比べて貼付効率も改善されるという効果が得られる。
【図面の簡単な説明】
【００７１】
【図１】本発明の実施例１に係る太陽電池モジュールの平面図である。
【図２】図１に示した太陽電池モジュールを屋根に敷き詰めることにより構成される太陽電池付屋根を示した平面図である。
【図３】実施例１に係る太陽電池モジュールを屋根に敷き詰める際の行程を説明する図である。
【図４】本発明の実施例２に係る太陽電池モジュールの構成を表す図である。
【図５】図４に示した太陽電池モジュールを屋根に敷き詰めることにより構成される太陽電池付屋根を示した平面図である。
【図６】本発明の実施例３に係る太陽電池モジュールの構成を表す図である。
【図７】本発明の実施例４に係る太陽電池モジュールの構成を表す図である。
【図８】従来の太陽電池モジュールを隅棟を有する屋根に設置した一例を示す平面図である。
【符号の説明】
【００７２】
１  屋根
２  陸棟
３  隅棟
４  棟カバー
５  平
６  軒
７  小平
８，９，１０，１１，１２  太陽電池モジュール
１３  横桟
１４  固定具
１５  支持瓦
２１，２２，２３  太陽電池モジュール
【図１】
2005220674.tif 000003
【図２】
2005220674.tif 000004
【図３】
2005220674.tif 000005
【図４】
2005220674.tif 000006
【図５】
2005220674.tif 000007
【図６】
2005220674.tif 000008
【図７】
2005220674.tif 000009
【図８】
2005220674.tif 000010